(57)【特許請求の範囲】
【請求項１】
天板と、前記天板を天部に取り付けた樹脂製の本体上部と、前記本体上部と組み合わされ本体外郭を構成する樹脂製の本体下部と、前記天板の裏面側に位置し前記天板の下面との間に隙間が形成されるように設けた誘導加熱コイルと、前記本体下部の下方から見て前記本体下部のひとつの角と前記誘導加熱コイルの中心との間に設けた吸気口と、前記本体下部の下方から見て前記本体下部の前記ひとつの角の対辺となる部分に複数の穴で形成された排気口と、前記本体下部内に設け電気回路を構成したプリント基板と、前記吸気口近傍に設け外気を本体内に吸引して本体内に分流させて送風し発熱した部品と熱交換をして温度上昇した風を前記排気口の一部から本体外に吹き出す冷却ファンと、を備え、前記天板に対して垂直に前記本体上部から下方に向かって立設したリブを設け、前記加熱コイルの上を流れた風が、前記排気口近傍で前記リブにより向きを変えられ、前記誘導加熱コイル上を流れないで前記排気口に到達する前記加熱コイルの上を流れた風より低温の風と混じり合い前記排気口から排出される誘導加熱調理器。
【請求項２】
リブの近傍で誘導加熱コイルの上を流れた高温の風が到達する位置に排気口を形成する穴を設けず、前記誘導加熱コイル上を流れないで低温の風が到達する位置に前記穴を設ける構成にした請求項１に記載の誘導加熱調理器。
【発明の詳細な説明】
【技術分野】
【０００１】
本発明は一般家庭で使用する誘導加熱調理器に関するものである。
【背景技術】
【０００２】
従来、この種の誘導加熱調理器は、天板を取り付けた樹脂製の外郭上部と、外郭上部と組み合わされ本体を構成する樹脂製の外郭下部と、外郭下部に設けた吸気口及び排気口と、外郭下部内に設けたプリント基板と冷却ファンを有し、冷却ファンの風を冷却部品であるプリント基板に向け送るために送風リブを本体内に設けていた。また、天板の裏面に位置して誘導加熱コイルを設けていた（例えば、特許文献１参照）。
【特許文献１】特開平８−６４３５５号公報
【発明の開示】
【発明が解決しようとする課題】
【０００３】
しかしながら、前記従来の構成では、排気口から吹き出る送風で温度の差が大きく、一部の排気口からは温度の高い風が吹き出し、その近傍では不快になるという問題があった。
【０００４】
本発明は、前記従来の問題点を解決するもので、本体の排気口から吹き出す送風で一部の高い温度の風を無くし、不快感を解消する誘導加熱調理器を提供することを目的とする。
【課題を解決するための手段】
【０００５】
前記従来の課題を解決するために、本発明の誘導加熱調理器は、天板と、前記天板を天部に取り付けた樹脂製の本体上部と、前記本体上部と組み合わされ本体外郭を構成する樹脂製の本体下部と、前記天板の裏面側に位置し前記天板の下面との間に隙間が形成されるように設けた誘導加熱コイルと、前記本体下部の下方から見て前記本体下部のひとつの角と前記誘導加熱コイルの中心との間に設けた吸気口と、前記本体下部の下方から見て前記本体下部の前記ひとつの角の対辺となる部分に複数の穴で形成された排気口と、前記本体下部内に設け電気回路を構成したプリント基板と、前記吸気口近傍に設け外気を本体内に
吸引して本体内に分流させて送風し発熱した部品と熱交換をして温度上昇した風を前記排気口の一部から本体外に吹き出す冷却ファンと、を備え、前記天板に対して垂直に前記本体上部から下方に向かって立設したリブを設け、前記加熱コイルの上を流れた風が、前記排気口近傍で前記リブにより向きを変えられ、前記誘導加熱コイル上を流れないで前記排気口に到達する前記加熱コイルの上を流れた風より低温の風と混じり合い前記排気口から排出される構成としたものである。
【０００６】
これによって、冷却ファンからの送風で誘導加熱コイル上を流れる風は高温になり、それが誘導加熱コイルの冷却ファンの設けられたコーナー部の対辺に位置する排気口から吹き出すが、天板に対して垂直に本体上部から下方に向かって立設したリブにより、送風の向きが変えられ、誘導加熱コイル上を流れないで排気口に到達する低温の送風と混じり合い、高温の送風の温度が低下して本体外に吹き出すことができる。
【発明の効果】
【０００７】
誘導加熱調理器は本体内で発熱する数点の電子部品を冷却するために、冷却ファンにより本体の吸気口から冷気を本体内に吸気して、本体内を分流して本体の広い範囲の排気口から吹き出すが、本発明の誘導加熱調理器は、冷却ファンから誘導加熱コイルの上面を流れる送風は自己発熱した誘導加熱コイルの熱により高温になるが、この熱風は排気口近傍で天板に対して垂直に本体上部から下方に向かって立設したリブにより、流れる向きが変わり、本体内の他の部分を流れて排気口に到達する低温の送風と混じることで、熱風の温度が下がり、本体外に排気することができる。
【０００８】
また、リブ近傍で誘導加熱コイル上を流れ高温となっている送風が到達する位置に排気口を形成する穴を設けず、誘導加熱コイル上を流れないで低温の風が到達する位置に前記穴を設ける構成にすることにより、高温の熱風のまま本体外に吹き出すことも防止できる。
【０００９】
これにより、調理時に高温の熱風の吹き出しにより、不快感を感じることも解消できる。
【００１０】
特にテーブル上に置いて使用する卓上タイプの誘導加熱調理器では効果がある。
【発明を実施するための最良の形態】
【００１１】
第１の発明は、天板と、前記天板を天部に取り付けた樹脂製の本体上部と、上方から見て前記本体上部と組み合わされ本体外郭を構成する樹脂製の本体下部と、前記天板の裏面側に位置し前記天板の下面との間に隙間が形成されるように設けた誘導加熱コイルと、前記本体下部の下方から見て前記本体下部のひとつの角と前記誘導加熱コイルの中心との間
設けた吸気口と、前記本体下部の下方から見て前記本体下部の前記ひとつの角の対辺となる部分に複数の穴で形成された排気口と、前記本体下部内に設け電気回路を構成したプリント基板と、前記吸気口近傍に設け外気を本体内に吸引して本体内に分流させて送風し発熱した部品と熱交換をして温度上昇した風を前記排気口の一部から本体外に吹き出す冷却ファンと、を備え、前記天板に対して垂直に前記本体上部から下方に向かって立設したリブを設け、前記加熱コイルの上を流れた風が、前記排気口近傍で前記リブにより向きを変えられ、前記誘導加熱コイル上を流れないで前記排気口に到達する前記加熱コイルの上を流れた風より低温の風と混じり合い前記排気口から排出される構成としたものである。
【００１２】
この構成により本体下部の下方から見て本体下部のひとつの角と誘導加熱コイルの中心との間に設けた冷却ファンからの送風で誘導加熱コイル上を流れる風は高温になり、それが本体下部の下方から見て本体下部の前記ひとつの角の対辺となる部分に複数の穴で形成された排気口から吹き出すが、天板に対して垂直に本体上部から下方に向かって立設したリブにより、送風の向きが変えられ、誘導加熱コイル上を流れないで排気口に到達する低温の送風と混じり合い、高温の送風の温度が低下して本体外に吹き出すことができる。
【００１３】
第２の発明は、リブの近傍で誘導加熱コイルの上を流れた高温の風が到達する位置に排気口を形成する穴を設けず、前記誘導加熱コイル上を流れないで低温の風が到達する位置に前記穴を設ける構成にしたものである。
【００１４】
これにより、本体内の誘導加熱コイル上を流れる高温の熱風と、誘導加熱コイル上を流れないで排気口に到達する低温の送風とが混じり状態にある時に、高温の熱風の一部が本体外に吹き出すことも防止できる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における誘導加熱調理器の斜視図を、図２は本発明の第１の実施の形態における誘導加熱調理器の裏面図を、図３は本発明の第１の実施の形態における同誘導加熱調理器の内部を示す天板と本体上部の部品を外した平面図を、図４は本発明の第１の実施の形態における誘導加熱調理器の内部を示す天板を外した斜視図を、図５は本発明の第１の実施の形態における同誘導加熱調理器の本体上部の裏面図を、図６は本発明の第１の実施の形態における本誘導加熱調理器の本体上部の側面図を示すものである。
【００１７】
本実施の形態においては、調理具として、鍋形状のものに限定されるものではないが、これを代表例として以下説明する。
【００１８】
図１において、１１は天板、１２は天板１１を天部に取り付けた樹脂製の本体上部、１３は本体上部２と組み合わされ本体を構成する樹脂製の本体下部である。
【００１９】
図２において、１４は本体下部１３に設けた吸気口、１５は本体下部１３に設けた排気口である。
【００２０】
図３及び図４において、１６は本体下部１３内に設けた電気回路を構成したプリント基板、１７は本体下部１３内に設けた冷却ファンである。１８は天板１１の裏面に位置して設けた誘導加熱コイルであり、誘導加熱コイル１８は１９のコイルホルダーに取り付けられ、上から２０の固定部で固持されている。コイルホルダー１９は本体下部１３に取り付けられている。
【００２１】
図５及び図６において、本体上部１２には２１のリブが設けてある。
【００２２】
以上のように構成された誘導加熱調理器について、以下その動作、作用を説明する。
【００２３】
まず、天板１１上に置かれる鍋等を誘導加熱する際、プリント基板１６が駆動されると、誘導加熱コイル１８に電流が流れ、磁界を発生する。その際、プリント基板１６の電子部品と誘導加熱コイル１８は、自己発熱する。それと同時に冷却ファン１７が駆動する。
【００２４】
冷却ファン１７が駆動すると、本体下部１２に設けた吸気口から外気を本体内に吸引して、本体内に送風を流す。
【００２５】
ここで、本体内には冷却が必要な部品はいくつかあるので、冷却ファン１７から吹き出す送風は分流して本体内を流れる。そして冷却が必要な部品に触れながら送風が流れ、送風の空気と自己発熱している部品とが熱交換されながら、送風の風は温度を上昇しながら、幅広い排気口に各々到達して、排気口の穴から本体外に吹き出される。
【００２６】
ここで、冷却される部品は全て同じ温度でなく、送風される風速や風量も一定でないので、排気口から排気される送風の温度は排気口の位置で異なっている。
【００２７】
特に誘導加熱をさせるためのＩＧＢＴと誘導加熱コイルの自己発熱は高い。ＩＧＢＴには冷却用のフィンを設けるのが一般的であり、フィンを大きくして設けたり、フィンに流れる風量を増やすことで、送風の温度上昇を抑えることができる。
【００２８】
しかし、誘導加熱コイルは天板１１上に置かれる鍋との距離を増やすと電力が低下するので、距離を増やすことができず、天板の下面と誘導加熱コイルの上面との隙間が少ししかなく、そこに流れる送風も増やすのに限界があり、送風の温度が非常に上昇する。
【００２９】
そして、誘導加熱コイル上を流れる送風はその後排気口に到達した際、本体上部のリブ２１により、流れる向きを変えられ、誘導加熱コイル上やＩＧＢＴ及びフィンに触れずに流れる送風と混じり合い、温度を低下しながら排気口から出されるので、排気口からの吹き出し温度を下げることができる。
【００３０】
（実施の形態２）
図７は本発明の第２の実施の形態における誘導加熱調理器を示す天板と本体上部の部品を外した斜視図を、図８は本発明の第２の実施の形態における誘導加熱調理器の背面図を示すものである。
【００３１】
実施の形態１と同一名称で同一符号は形状や機能等は全く同一のものである。
【００３２】
図７において、３０は冷却ファン１７からの送風のなかで誘導加熱コイル１８上を流れる送風Ａである。３１は冷却ファン１７からの送風のなかで誘導加熱コイル１９やプリント基板１６上を流れない送風Ｂである。
【００３３】
３２は冷却ファン１７からの送風のなかで誘導加熱コイル１９の下方を流れ、プリント基板１６上を流れる送風Ｃである。
【００３４】
３５は排気口１５のＨ部であり、３６は排気口１５のＪ部であり、３７は排気口１５のＫ部である。３８は排気口１５のＬ部である。
【００３５】
３９は排気口１５のＪ部の孔部であり、孔のデザインは設けながら、薄肉の樹脂で穴を閉じた孔部である。
【００３６】
以上のように構成された誘導加熱調理器について、以下その動作、作用を説明する。
【００３７】
冷却ファン１７により、本体外部から本体内に吸気された空気は大きく、送風Ａ３０、送風Ｂ３１、送風Ｃ３２に分流して、本体内を流れる。送風Ａ３０は誘導加熱コイル１８上を流れて、排気口１５に近づく際にはもっとも温度が高くなっている。また送風Ｂ３１は排気口１５に近づく際には一番温度上昇が少ない。
【００３８】
ここで、送風Ｃはプリント基板１６の電子部品の冷却をしながら、排気口１５のＨ部から本体外部に吹き出す。
【００３９】
送風Ｂ３１は少しが排気口１５のＬ部３８から吹き出し、その他は排気口１５のＫ部３７から吹き出す。
【００４０】
このとき、送風Ａ３０も排気口１５に近づいたときに本体上部１２のリブ２１により風向きが変わり、送風Ｂ３１と混じって、排気口１５のＫ部３７から本体外部に吹き出る。ここで、排気口１５のＪ部３６は閉じた孔部３９にしているので、送風Ａ３０と送風Ｂ３１が混じり合う際に、送風Ａ３０の熱風の一部がＪ部３６から吹き出るのを無くすことができる。
【００４１】
また、Ｊ部３６からの吹き出し量が増える分、Ｌ部３８からの吹き出し量を調整して整流することができる。
【産業上の利用可能性】
【００４２】
以上のように、本発明にかかる誘導加熱調理器は、容易な方法で排気温度を低減し不快感を解消することができる。
【図面の簡単な説明】
【００４３】
【図１】本発明の実施の形態１における誘導加熱調理器を示す斜視図
【図２】同誘導加熱調理器の裏面図
【図３】同誘導加熱調理器の内部を示す天板と本体上部の部品を外した平面図
【図４】同誘導加熱調理器の内部を示す天板を外した斜視図
【図５】同誘導加熱調理器の本体上部の裏面図
【図６】本誘導加熱調理器の本体上部の側面図
【図７】本発明の実施の形態２における誘導加熱調理器を示す天板と本体上部の部品を外した斜視図
【図８】同誘導加熱調理器の背面図
【符号の説明】
【００４４】
１１  天板
１２  本体上部
１３  本体下部
１４  吸気口
１５  排気口
１６  プリント基板
１７  冷却ファン
１８  誘導加熱コイル
１９  コイルホルダー
２０  固定部
２１  リブ
【図１】
0004251191.tif 000002
【図２】
0004251191.tif 000003
【図３】
0004251191.tif 000004
【図４】
0004251191.tif 000005
【図５】
0004251191.tif 000006
【図６】
0004251191.tif 000007
【図７】
0004251191.tif 000008
【図８】
0004251191.tif 000009